(57)【要約】【目的】本発明は車椅子のユーザ等にとっても使いやすい操作部を有する画像形成装置を提供することを目的とする。【構成】操作者が所定の操作を行うためのキー部７ｂと操作内容を表示する表示部７ａとを有する操作部７と、該操作部７を保持する支持部６とを有する画像形成装置１において、前記表示部７ａは鉛直面より下向きに回動可能に取り付けられており、前記キー部７ｂは鉛直面より上向きに回動可能に取り付けられている構成とした。また、前記操作部はヒンジ部を有し、前記表示部と前記キー部がヒンジ部に回動可能に取り付けられている構成とすることで、ユーザ毎に使用しやすい位置に変更することができる。【選択図】        図１
2004195710.tif 000002
【特許請求の範囲】
【請求項１】
所定の操作を行うためのキー部と操作内容を表示する表示部とを有する操作部と、該操作部を保持する支持部とを有する画像形成装置において、前記表示部は鉛直面より下向きに回動可能に取り付けられており、前記キー部は鉛直面より上向きに回動可能に取り付けられていることを特徴とする画像形成装置。
【請求項２】
前記操作部はヒンジ部を有し、前記表示部と前記キー部がヒンジ部に回動可能に取り付けられていることを特徴とする請求項１記載の画像形成装置。
【請求項３】
前記操作部は、前記表示部と前記キー部とのなす角が固定されており、該操作部は前記支持部へヒンジ部により回動自在に取り付けられていることを特徴とする請求項１記載の画像形成装置。
【請求項４】
前記ヒンジ部はトルクリミッタを有することを特徴とする請求項２又は３記載の画像形成装置。
【請求項５】
前記表示部はタッチパネル機構を有することを特徴とする請求項１から４のいずれかに記載の画像形成装置。
【発明の詳細な説明】
【０００１】
【産業上の利用分野】
本発明は、画像形成装置に関するものであり、詳しくは操作部の角度を変えることができ、車椅子等に着座した非健常者の使用にも考慮した画像形成装置に関する。
【０００２】
【従来の技術】
床面上に設置して使用される画像形成装置には、操作部を画像形成装置上面に埋設したもの（例えば特許文献１参照）と、装置上部にアーム等の支持部を設け、その先端に取り付けたもの（例えば特許文献２及び特許文献３参照）の２タイプがある。
【０００３】
画像形成装置上部に埋設されているタイプの操作部は、床面から１０００ｍｍ未満の位置に設けられるのが一般的であり、支持部に取り付けられているタイプの操作部は、床面から１０００ｍｍから１５００ｍｍ程度の高さに設置されるのが一般的である。
【０００４】
上記のようにそれぞれのタイプ毎に決められた操作部の位置は、車椅子のユーザ又は背の低いユーザのことも考慮されているのだが、必ずしも車椅子のユーザ等にとって使いやすいものではなく、ユニバーサルデザインの観点からは改善の必要があった。
【０００５】
これに対して、操作部を画像形成装置に埋設するタイプの場合は、特許文献１のように、操作部の角度を調節することができる電子画像装置が提案されている。
【０００６】
【特許文献１】
特開平１１−１１９４９８号公報
【特許文献２】
特開２０００−１２２３６２号公報
【特許文献３】
特開２０００−１３２０１０号公報
【０００７】
【発明が解決しようとする課題】
一方、操作部を支持部に取り付けるタイプの画像形成装置の場合、車椅子のユーザ等は操作部を下から見上げる必要がある。そのような状況で使用すると、操作部のＬＣＤ等の表示部分に天井の照明が映り込んでしまい、表示されている内容が見難くなることがある。
【０００８】
そこで、本発明は車椅子のユーザ等にとっても使いやすい操作部を有する画像形成装置を提供することを目的とする。
【０００９】
【課題を解決するための手段】
上記目的を達成するために本発明の画像形成装置は、所定の操作を行うためのキー部と操作内容を表示する表示部とを有する操作部と、該操作部を保持する支持部とを有する画像形成装置において、前記表示部は鉛直面より下向きに回動可能に取り付けられており、前記キー部は鉛直面より上向きに回動可能に取り付けられている構成とした。
【００１０】
前記操作部はヒンジ部を有し、前記表示部と前記キー部がヒンジ部に回動可能に取り付けられている構成としたり、前記操作部は、前記表示部と前記キー部とのなす角が固定されており、該操作部は前記支持部へヒンジ部により回動自在に取り付けられている構成としたり、前記ヒンジ部はトルクリミッタを有することとしたり、前記表示部はタッチパネル機構を有することとすることもできる。
【００１１】
【発明の実施の形態】
次に本発明の画像形成装置を、図面を基に説明する。図１は、本発明の画像形成装置の斜視図である。本発明の画像形成装置１は、床面上に設置するタイプのものであり、床面から画像形成装置１の上面までの高さＨ１は、１０００ｍｍ程度になっている。前面にはトナー補給等の時に使用する前扉２と、給紙トレイ３があり、右側面には、手差しトレイ４が開閉自在に取り付けられている。画像形成装置１の左側面には、画像の形成された転写紙が排出される排出口（図示せず）があり、そこに図示しない後処理装置を接続する場合もある。
【００１２】
画像形成装置１の上部には、原稿自動読取装置（ＡＤＦ）５が設置されており、その右横に操作部７の支持部６が設置されている。支持部６は、画像形成装置１の上面の後方に立設された支柱６ａと、支柱６ａの上部から前面に向かって伸びる梁６ｂとから構成されている。そして、梁６ｂの先端に操作部７が取り付けられている。
【００１３】
操作部７は、表示部７ａとキー部７ｂがヒンジ部７ｃに回動可能に取り付けられた構造をしている。表示部７ａは、液晶等の表示装置であり、画像形成装置１の動作モードや、画像形成時の紙詰まり等のエラーメッセージを表示するものである。表示部７ａは液晶画面にタッチパネル機構を内蔵することで、使用頻度の低いモード設定等の操作を行うことも可能となる。
【００１４】
キー部７ｂは、複写枚数の設定や画像形成の開始等の操作を行うためのものである。キー部７ｂには複数のキーが並んでおり、画像形成の開始を指示するキーは大きくなっており、複写枚数を指定するための数字キーは同じ大きさに統一するというように、各キーの用途ごとに大きさ、形状等を変えることができる。また、表示部７ａにタッチパネルを使用する場合には、使用頻度の高い操作のみキー部７ｂからできるようにすることで、操作性の向上や操作部７の小型化が可能となる。
【００１５】
ヒンジ部７ｃは、梁６ｂに固定され、ヒンジ部７ｃの上側の表示部７ａと、下側のキー部７ｂとを回動可能に支持している。ヒンジ部７ｃは、図示しないトルクリミッタを有しており、表示部７ａ及びキー部７ｂは、一定以上の力を加えないと回動しないようになっている。これによって、キー操作をしている最中に、表示部７ａやキー部７ｂが回動したり、自重で回動してしまうことを防止している。
【００１６】
操作部７は、床面から表示部７ａの上部までの高さＨ２が１５００ｍｍ以下になるように設置する必要がある。これは、車椅子のユーザが、車椅子に着座したままで手が届く高さであり、これよりも高くなると操作部７の角度調節が難しくなってしまう。
【００１７】
図２は、操作部７の使用態様の一例を示す斜視図である。車椅子のユーザ等にとって、表示部７ａを見るときは、下から見上げるようなかたちになり、表示部７ａを垂直にすると照明が映り込みやすいので、映り込みを避けるためには表示部７ａを鉛直面Ｖより下に向くようにする。一方、キー部７ｂは、キーを押すという動作の都合上、重力に逆らわない方が操作しやすい。従って、キー部７ｂは鉛直面よりも上に向くように調節する。
【００１８】
図２（ａ）及び（ｂ）は、上記の条件を満たす態様の例である。このような形にするために、車椅子のユーザ等は、まず、表示部７ａの上部に手を当てて、手前に引いて表示部を鉛直面Ｖより下向きにする。ヒンジ部７ｃにはトルクリミッタがあるので、ユーザの所望の位置に表示部７ａを止めることが可能である。
【００１９】
次に、キー部７ｂの下部に手を当てて、鉛直面Ｖより上向きになる位置まで回動させる。表示部７ａとキー部７ｂは、ユーザ毎に見やすい位置にすることが可能である。従って、図２（ａ）のように、表示部７ａとキー部７ｂのなす角α１を９０度よりも大きめにしたり、図２（ｂ）のようになす角α２を９０度近い角度にすることも可能である。
【００２０】
健常者の場合は、視線が表示部７ａよりも高い位置にくるので、操作部７を上から見下ろす形になるのが一般的である。従って、健常者が使用する場合には図２（ｃ）に示すように表示部７ａとキー部７ｂを共に鉛直面Ｖより上向きになるように調節する。
【００２１】
上記実施例では、表示部７ａとキー部７ｂは、それぞれ独立して角度調節が可能であるが、本発明はそれ以外にも、表示部とキー部が、くの字型に一体形成された操作部を、ヒンジ部によって支持部６に回動可能に取り付けたものであってもよい。この場合、表示部とキー部とのなす角は、表示部が鉛直面より下に向いた時に、キー部が鉛直面より上に向くような角度にすると車椅子のユーザ等にも使用しやすくなる。
【００２２】
なお、上記の実施例では操作部７が梁６ｂに取り付けられているが、そのような実施例に限定するものではない。例えば、支柱６ａを画像形成装置１の手前側に取り付け、そこに直接操作部７を取り付けるような実施例とすることも可能である。
【００２３】
【発明の効果】
以上に示したように、本発明の画像形成装置によれば、所定の操作を行うためのキー部と操作内容を表示する表示部とを有する操作部と、該操作部を保持する支持部とを有する画像形成装置において、前記表示部は鉛直面より下向きに回動可能に取り付けられており、前記キー部は鉛直面より上向きに回動可能に取り付けられている構成とすることで、車椅子のユーザ等が使用する場合でも照明が映り込むことがなく、使いやすいものとなる。
【００２４】
前記操作部はヒンジ部を有し、前記表示部と前記キー部がヒンジ部に回動可能に取り付けられている構成とすることで、操作部が、健常者にとっても車椅子のユーザ等にとっても使いやすいものとなる。
【図面の簡単な説明】
【図１】本発明の画像形成装置の斜視図である。
【図２】（ａ），（ｂ），（ｃ）は操作部の使用態様の一例を示す斜視図である。
【符号の説明】
１        画像形成装置
６        支持部
７        操作部
７ａ      表示部
７ｂ      キー部
７ｃ      ヒンジ部
【図１】
2004195710.tif 000003
【図２】
2004195710.tif 000004